(57)【要約】【課題】小屋裏の十分な換気を可能にする棟の換気構造１０を提供することを目的とする。また、平板瓦１９が葺設されている野地１５上の換気を可能にする棟の換気構造１０を提供すること。【解決手段】屋外で風が吹くと第１副通気通路２３を通って屋外の空気が棟の一側から他側へ流れ、小屋裏の空気が第１副通気通路２３を流れる風に巻き込まれ、主通気通路２２を通って屋外へ流出される。また、堰部１４ａと最上段の平板瓦１９の尻縁部１９ａで充填材２０を堰き止めることにより最上段の平板瓦１９の裏側空間と第２換気部材１４とを連通する第２副通気通路２４を形成し、第２副通気通路２４を通って平板瓦１９の裏側空間すなわち、野地１５上の換気が可能になる。【選択図】図１
2014211061.tif 000002
【特許請求の範囲】
【請求項１】
棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造であって、
前記垂木に横断通気通路を形成し、前記第１換気部材と横断通気通路によって冠瓦の裏側に垂木を跨いで棟の一側から他側へ通じる第１副通気通路を形成したことを特徴とする棟の換気構造。
【請求項２】
棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造であって、
前記第２換気部材に前記充填材を堰き止める堰部を形成し、堰部と前記最上段の平板瓦の尻縁部で充填材を堰き止めることにより野地上と前記第２換気部材とを連通する第２副通気通路を形成したことを特徴とする棟の換気構造。
【請求項３】
前記第１換気部材が扁平な略箱型本体を有し、
本体の一端面と上面にそれぞれ第１通気口と第２通気口が形成され、
本体の一端に連結片が設けられ、
本体の他端部に冠瓦の裏面を支持する支持部を設けるとともに、該支持部に第３通気口を形成し、
支持部の下に本体内部に侵入した雨水を排出する水抜き溝又は水抜き穴を形成するとともに、所定の隙間をあけて水抜き溝の外側開口端面を覆蓋する止水片を設け、
連結片を垂木の上面に連結して本体を垂木に固定したとき、前記横断通気通路と第１通気口と第２通気口及び第３通気口によって前記第１副通気通路が形成されるように構成しことを特長とする請求項１に記載の棟換気構造。
【請求項４】
棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造に用いられる垂木であって、
前記垂木に横断通気通路を形成し、前記第１換気部材と横断通気通路によって冠瓦の裏側に垂木を跨いで棟の一側から他側へ通じる第１副通気通路が形成されるようにしたことを特徴とする垂木。
【請求項５】
棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造に用いられる第２換気部材であって、
前記第２換気部材に前記充填材を堰き止める堰部を形成し、堰部と前記最上段の平板瓦の尻縁部で充填材を堰き止めることにより野地上と前記第２換気部材とを連通する第２副通気通路が形成されるようにしたことを特徴とする第２換気部材。
【請求項６】
棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造における前記第１換気部材であって、
前記第１換気部材が扁平な略箱型本体を有し、
本体の一端面と上面にそれぞれ第１通気口と第２通気口が形成され、
本体の一端に連結片が設けられ、
本体の他端部に冠瓦の裏面を支持する支持部を設けるとともに、該支持部に第３通気口を形成し、
支持部の下に本体内部に侵入した雨水を排出する水抜き溝又は水抜き穴を形成するとともに、所定の隙間をあけて水抜き溝の外側開口端面を覆蓋する止水片を設け、
連結片を垂木の上面に連結して本体を垂木に固定したとき、前記横断通気通路と第１通気口と第２通気口及び第３通気口によって前記第１副通気通路が形成されるように構成しことを特長とする第１換気部材。
【発明の詳細な説明】
【技術分野】
【０００１】
本発明は棟の換気構造に関する。
【背景技術】
【０００２】
棟の換気構造の一形式として、特開平１０−３１７５８９号には棟の屋根地に立設した垂木支持金具で垂木を支持し、垂木で冠瓦を支持し、冠瓦と棟の屋根地の間に葺土、モルタル等の充填材を充填して充填層を形成した棟における換気構造が開示されている。
【０００３】
この棟の換気構造では、冠瓦と棟の最上段の平板瓦との間に扁平な第１換気部材を配設し、棟の屋根地に形成した棟換気口に被せるように第２換気部材を屋根地に立設し、第１換気部材と第２換気部材及び棟換気口を通して小屋裏と屋外を連通する通気通路を形成している。
【先行技術文献】
【特許文献】
【０００４】
【特許文献１】特開平１０−３１７５８９号
【発明の概要】
【発明が解決しようとする課題】
【０００５】
上記した従来の棟の換気構造によれば小屋裏の換気が可能となるものの、必ずしも小屋裏の換気に必要な空気の流量を確保できるとは限らない。
また、近時、小屋裏の換気だけでなく、野地の腐食を防止するため平板瓦が葺設されている野地上の換気も望まれている。
【０００６】
本発明はかかる点に鑑み、小屋裏の十分な換気を可能にする棟の換気構造を提供することを目的とする。
また、本発明は平板瓦が葺設されている野地上の換気を可能にする棟の換気構造を提供することを目的とする。
【課題を解決するための手段】
【０００７】
請求項１に記載の発明は、棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造であって、
前記垂木に横断通気通路を形成し、前記第１換気部材と横断通気通路によって冠瓦の裏側に垂木を跨いで棟の一側から他側へ通じる第１副通気通路を形成したことを特徴とする。
【０００８】
請求項２に記載の発明は、棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造であって、
前記第２換気部材に前記充填材を堰き止める堰部を形成し、堰部と前記最上段の平板瓦の尻縁部で充填材を堰き止めることにより野地上と前記第２換気部材とを連通する第２副通気通路を形成したことを特徴とする。
【０００９】
請求項３に記載の発明は、請求項１に記載の棟換気構造において、
前記第１換気部材が扁平な略箱型本体を有し、
本体の一端面と上面にそれぞれ第１通気口と第２通気口が形成され、
本体の一端に連結片が設けられ、
本体の他端部に冠瓦の裏面を支持する支持部を設けるとともに、該支持部に第３通気口を形成し、
支持部の下に本体内部に侵入した雨水を排出する水抜き溝又は水抜き穴を形成するとともに、所定の隙間をあけて水抜き溝の外側開口端面を覆蓋する止水片を設け、
連結片を垂木の上面に連結して本体を垂木に固定したとき、前記横断通気通路と第１通気口と第２通気口及び第３通気口によって前記第１副通気通路が形成されるように構成したことを特徴とする。
【００１０】
請求項４に記載の発明は、棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造に用いられる垂木であって、
前記垂木に横断通気通路を形成し、前記第１換気部材と横断通気通路によって冠瓦の裏側に垂木を跨いで棟の一側から他側へ通じる第１副通気通路が形成されるようにしたことを特徴とする。
【００１１】
請求項５に記載の発明は、棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造に用いられる第２換気部材であって、
前記第２換気部材に前記充填材を堰き止める堰部を形成し、堰部と前記最上段の平板瓦の尻縁部で充填材を堰き止めることにより野地上と前記第２換気部材とを連通する第２副通気通路が形成されるようにしたことを特徴とする。
【００１２】
請求項６に記載の発明は、棟の屋根地に立設した垂木支持金具で垂木を支持し、垂木で冠瓦を支持し、冠瓦と棟の最上段の平板瓦との間に扁平な第１換気部材を配設し、野地に形成した棟換気口に被せるように第２換気部材を野地に立設し、冠瓦と野地の間に葺土、モルタル等の充填材を充填して充填層を形成し、第１換気部材と第２換気部材及び棟換気口を通して小屋裏と屋外を連通する主通気通路を形成した棟の換気構造における前記第１換気部材であって、
前記第１換気部材が扁平な略箱型本体を有し、
本体の一端面と上面にそれぞれ第１通気口と第２通気口が形成され、
本体の一端に連結片が設けられ、
本体の他端部に冠瓦の裏面を支持する支持部を設けるとともに、該支持部に第３通気口を形成し、
支持部の下に本体内部に侵入した雨水を排出する水抜き溝又は水抜き穴を形成するとともに、所定の隙間をあけて水抜き溝の外側開口端面を覆蓋する止水片を設け、
連結片を垂木の上面に連結して本体を垂木に固定したとき、前記横断通気通路と第１通気口と第２通気口及び第３通気口によって前記第１副通気通路が形成されるように構成したことを特徴とする。
【発明の効果】
【００１３】
請求項１及び請求項４に記載の発明によれば、屋外で風が吹くと第１副通気通路を通って屋外の空気が棟の一側から他側へ流れるので、小屋裏の空気が第１副通気通路を流れる風に巻き込まれて屋外へ流出する。そのため、小屋裏を換気するに十分な空気の流量を確保できる。
【００１４】
請求項２及び請求項５に記載の発明によれば、堰部と前記最上段の平板瓦の尻縁部で充填材を堰き止めることにより最上段の平板瓦の裏側空間と第２換気部材とを連通する第２副通気通路を形成したので、第２副通気通路を通って平板瓦の裏側空間すなわち、野地上の換気が可能となる。
【００１５】
請求項３及び請求項６に記載の発明によれば、第１換気部材で棟の一側から他側へ空気の流れを許容する第１副通気通路を形成できる。
また、第１換気部材に水抜き溝又は水抜き穴を形成したので、第１換気部材の内部に侵入した雨水を水抜き溝から平板瓦の上に排出できる。
さらにまた、水抜き溝の外側開口端面を隙間を空けて止水片で覆ったので、第１換気部材の内部に侵入した雨水を隙間から平板瓦の上に排出できるだけでなく、水抜き溝又は水抜き穴から内部に雨水が大量に浸入するのを防止できる。
【図面の簡単な説明】
【００１６】
【図１】本発明の実施例に係る棟の換気構造を示す斜視図である。
【図２】同換気構造に使われる垂木支持金具を示す斜視図である。
【図３】同換気構造に使われる垂木を示す斜視図である。
【図４】同換気構造に使われる第１換気部材を示す斜視図である。
【図５】同第１換気部材の上側フレームの内部を示す斜視図である。
【図６】同換気構造に使われる第２換気部材を示す斜視図である。
【図７】同換気構造における主通気通路と第１副通気通路及び第２副通気通路を模式的に示す説明図である。
【図８】同換気構造に使われる他の垂木を示す斜視図である。
【図９】同換気構造に使われる他の第１換気部材を示す斜視図である。
【図１０】同他の第１換気部材の上側フレームの内部を示す斜視図である。
【図１１】同他の第１換気部材の下側フレームの内部を示す斜視図である。
【実施例】
【００１７】
以下に本発明を図面に基づき説明する。図１には本発明の一実施例に係る棟の換気構造１０が示されている。当該棟の換気構造１０は垂木１１を支持する垂木支持金具１２と第１換気部材１３及び第２換気部材１４を備えている。
【００１８】
図２に示すように、垂木支持金具１２はコ字形の垂木受け部１２ａと、垂木受け部１２ａに垂設した脚部１２ｂと、脚部１２ｂから傾斜して延びる左右一対の足部１２ｃから成る。垂木支持金具１２は各足部１２ｃを棟の野地１５に釘で固定して、棟の頂部に立設されている。垂木１１は棟の頂部に沿って一定間隔で配列した垂木支持金具１２の垂木受け部１２ａに載置し、棟の長手方向に沿って架設されている。そして、垂木支持金具１２で支持した垂木１１に冠瓦１６が載置されている。図３に示すように、この垂木１１の上面には複数本の溝状の横断通気通路１１ａが形成されている。複数本の横断通気通路１１ａは垂木１１の長手方向に沿って配列されている。この横断通気通路１１ａは垂木１１の下面に形成することもできる。
【００１９】
図４に示すように、第１換気部材１３は上側フレーム１３ａと下側フレーム１３ｂを合体して扁平な略箱型に形成した本体を備えている。上側フレーム１３ａの幅方向の一端は上方に折り曲げて立ち上がり片１３ｃが形成され、立ち上がり片１３ｃに連結片１３ｄが連続して形成されている。この連結片１３ｄは断面がくの字になるように形成されている。下側フレーム１３ｂの幅方向の一端は上方に折り曲げて立ち上がり片１３ｅが形成され、上側フレーム１３ａの立ち上がり片１３ｃと下側フレーム１３ｂの立ち上がり片１３ｅで第１通気口１３ｆが形成されている。下側フレームの他端の外側にシーラー１３ｕが貼着されている。
【００２０】
上側フレーム１３ａには複数の第２通気口１３ｇが形成されている。各第２通気口１３ｇは上側フレーム１３ａの長手方向に延びている。上側フレーム１３ａの他端部は直角に折り曲げられて止水片１３ｈが形成されている。上側フレーム１３ａの他端部の上面に板バネ製で複数の、くの字部を連続した形状を有する支持部材１３ｍが固定され、第１換気部材１３の長手方向に延びている。この支持部材１３ｍは、くの字の頂部が冠瓦１６の裏面に当接して冠瓦１６を支持するように形成されている。また、くの字の内側が第３通気口１３ｎとして形成され、これら第３通気口１３ｎが第１換気部材１３の長手方向に沿って配列されている。
【００２１】
図５に示すように、止水片１３ｈの内側にはプラスチック製で断面が四角形の縦フレーム１３ｐが固定され、該縦フレーム１３ｐの複数箇所に水抜き溝１３ｑが形成されている。この水抜き溝１３ｑは第１換気部材１３の長手方向に沿って一定間隔で配列されている。水抜き溝１３ｑの外側端面は隙間をあけて止水片１３ｈで覆われている。上側フレーム１３ａの立ち上がり片１３ｃの基端部には通気用縦フレーム１３ｒが固定されている。この通気用縦フレーム１３ｒは多数の通気穴１３ｓを有し、通気穴１３ｓは第１換気部材１３の長手方向に沿って配列され、各穴が第１通気口１３ｆに連通している。上側フレーム１３ａの長手方向の両端部には横フレーム１３ｔが固定され、上側フレーム１３ａと下側フレーム１３ｂを合体して構成される本体の両側の開口端面が横フレーム１３ｔで塞がれている。
【００２２】
第１換気部材１３は連結片１３ｄの先端部を垂木１１の上面に当接し、釘で垂木１１に固定されている。このようにして、複数の第１換気部材１３は冠瓦１６の裏面に配置され、棟の長手方向に沿って配列されている。
【００２３】
第２換気部材１４は左右一対の堰部１４ａと、左右の堰部１４ａを連結する連結部１４ｂ及び連結部１４ｂに垂設した脚部１４ｃと、脚部１４ｃから傾斜して延びる左右一対の足部１４ｄから成り、足部１４ｄを野地１５に釘で固定して棟の頂部に立設されている。この脚部１４ｃは下端面を開口にした中空構造に形成されている。一方、図１に示すように棟の頂部には棟換気口１７が形成されている。第２換気部材１４はこの棟換気口１７に脚部１４ｃの開口を被せるようにして棟に固定され、棟の長手方向に延びている。
【００２４】
脚部１４ｄの両側面には複数の開口１４ｅが形成されている。複数の開口１４ｅは第２換気部材１４の長手方向に沿って配列されている。堰部１４ａは外側起立片１４ｆと内側起立片１４ｇ及び両起立片１４ｆ，１４ｇを連結する底面１４ｈでチャンネル状に構成され、底面１４ｈには複数の開口１４ｋが形成され、開口１４ｋは第２換気部材１４の長手方向に沿って配列されている。
【００２５】
棟換気口１７に近接して野地１５に瓦桟１８が固定され、瓦桟１８に棟の最上段の平板瓦１９が掛止されている。この平板瓦１９の尻縁部１９ａは第２換気部材１４の堰部１４ａの外側起立片１４ｆに当接している。第１換気部材１３の底面と堰部１４ａの外側起立片１４ｆ及び平板瓦１９の尻縁部１９ａの上半分で区画される空間に葺土、モルタル等の充填材が充填され、充填層２０を形成している。一方、堰部１４ａで充填材の侵入を防止することにより、堰部１４ａの連結部１４ｂと平板瓦１９の尻縁部１９ａの下半分と野地１５で通気空間２１が区画形成されている。
【００２６】
垂木１１、垂木支持金具１２、第１換気部材１３及び第２換気部材１４の構造は以上の通りであって、図７に示すように、棟換気口１７→第２換気部材１４の脚部１４ｃの開口→堰部１４ａの連結部１４ｂと平板瓦１９の尻縁部１９ａの下半分と野地１５で区画形成された通気空間２１→第２換気部材１４の堰部１４ａの底面１４ｈの開口１４ｋ→第２換気部材１４の外側起立片１４ｆと内側起立片１４ｇで区画されたチャンネル部→第１換気部材１３の第１通気口１３ｆ→第１換気部材１３の内部空間→第１換気部材１３の第２通気口１３ｇ→第１換気部材１３の第３通気口１３ｎによって小屋裏と屋外を連通する主通気通路２２が形成されている。
【００２７】
また、第１換気部材１３の第３通気口１３ｎ→第２通気口１３ｇ→第１換気部材１３の内部空間→第１換気部材１３の第１通気口１３ｆ→垂木１１の横断通気通路１１ａによって冠瓦１６の裏側に垂木１１を跨いで棟の一側から他側に連通する第１副通気通路２３が形成されている。
【００２８】
さらにまた、最上段の平板瓦１９の裏側空間（最上段の平板瓦１９と野地１５との隙間）→堰部１４ａの連結部１４ｂと最上段の平板瓦１９の尻縁部１９ａの下半分と野地１５で区画された通気空間２１→堰部１４ａのチャンネル部→第１換気部材１３の第１通気口１３ｆ→第１換気部材１３の内部空間→第１換気部材１３の第２通気口１３ｇ→第１換気部材１３の第３通気口１３ｎによって野地１５上と屋外を連通する第２副通気通路２４が形成されている。
【００２９】
本実施例に係る棟の換気構造１０によれば、屋外で風が吹くと第１副通気通路２３を通って屋外の空気が棟の一側から他側へ流れるので、小屋裏の空気が第１副通気通路２３を流れる風に巻き込まれ、主通気通路２２を通って屋外へ流出する。そのため、小屋裏を換気するに十分な空気の流量を確保できる。
【００３０】
また、堰部１４ａと最上段の平板瓦１９の尻縁部１９ａで充填材２０を堰き止めることにより最上段の平板瓦１９の裏側空間と第２換気部材１４とを連通する第２副通気通路２４を形成したので、第２副通気通路２４を通って平板瓦１９の裏側空間すなわち、野地１５上の換気が可能となる。
【００３１】
また、第１換気部材１３に水抜き溝１３ｑを形成したので、第１換気部材１３の内部に侵入した雨水を水抜き溝１３ｑから平板瓦１９の上に排出できる。
さらにまた、水抜き溝１３ｑの外側開口端面を隙間を空けて止水片１３ｈで覆ったので、第１換気部材１３の内部に侵入した雨水を隙間から平板瓦１９の上に排出できるだけでなく、水抜き溝１３ｑから内部に雨水が大量に浸入するのを防止できる。
【００３２】
本実施例では第２換気部材１４の堰部１４ａを構成する外側起立片１４ｆで充填材２０を堰き止めているが、冠瓦１６と平板瓦１９の間にＳ字瓦を葺設する場合、若しくはのし瓦を積層する場合のように平板瓦１９から冠瓦１６までの高さが高くなる場合、図７に２点鎖線で示すように、外側起立片１４ｆに沿って堰板２５を設けることにより、充填材を堰き止めることができる。
【００３３】
図８に本実施例における垂木１１の他の実施例を示す。上述した垂木１１は、横断通気通路１１ａを切削して形成しているが、図８に示すように、垂木１１にくの字に成形した板金部材２６を固定して横断通気通路２６ａを形成したり、プラスチック樹脂製の通気部材２７を固定して横断通気通路２７ａを形成することもできる。
【００３４】
図９〜図１１に本実施例における第１換気部材１３の他の実施例を示す。上述した第１換気部材１３では図５に示すように、上側フレーム１３ａの止水片１３ｈの内側にはプラスチック製で断面が四角形の縦フレーム１３ｐを固定したが、図１０に示す第１換気部材１３Ａでは、この縦フレーム１３ｑが省略されている。一方、図１１に示すように、下側フレーム１３ｂの一端には上側フレーム１３ａと下側フレーム１３ｂを合体したとき上側フレーム１３ａの止水片１３ｈに重なる折曲片１３ｗが形成されるとともに、折曲片１３ｗの基端部から下側フレーム１３ｂの底面にかけて水抜き穴１３ｙが形成されている。
なお、他の実施例に係る第１換気部材１３Ａの他の構成は上述した第１換気部材１３と同じであるので、同一の構成要素に同一の符号を付して説明を省略する。
【符号の説明】
【００３５】
１０…棟の換気構造
１１…垂木
１１ａ，２６ａ，２７ａ…横断通気通路
１２…垂木支持金具
１３，１３Ａ…第１換気部材
１３ｄ…連結片
１３ｆ…第１通気口
１３ｇ…第２通気口
１３ｈ…止水片
１３ｎ…第３通気口
１３ｑ…水抜き溝
１３ｙ…水抜き穴
１４…第２換気部材
１４ａ…堰部
１５…野地
１６…冠瓦
１７…棟換気口
１９…平板瓦
１９ａ…平板瓦の尻縁部
２０…充填層
２１…通気空間
２２…主通気通路
２３…第１副通気通路
２４…第２副通気通路
【図１】
2014211061.tif 000003
【図２】
2014211061.tif 000004
【図３】
2014211061.tif 000005
【図４】
2014211061.tif 000006
【図５】
2014211061.tif 000007
【図６】
2014211061.tif 000008
【図７】
2014211061.tif 000009
【図８】
2014211061.tif 000010
【図９】
2014211061.tif 000011
【図１０】
2014211061.tif 000012
【図１１】
2014211061.tif 000013